(57)【特許請求の範囲】
【請求項１】
セルラー通信システムのフレームワーク内でデバイスツーデバイス（Ｄ２Ｄ）通信可能であって、セルラー通信についてキャリアアグリゲーション可能な通信デバイス（１０４，１０８，１１０〜１１３，３００）であって、
全てのキャリアアグリゲーション通信ケイパビリティを判定することと、
Ｄ２Ｄ通信及びキャリアアグリゲーションに適したキャリアアグリゲーション通信ケイパビリティを利用するＤ２Ｄ通信が行われるかを判定することと、
により、キャリアアグリゲーション通信ケイパビリティを判定し、
前記通信デバイスがＤ２Ｄ通信で利用しない利用可能なキャリアアグリゲーション通信ケイパビリティを判定し、
判定した前記利用可能なキャリアアグリゲーション通信ケイパビリティを前記セルラー通信システムのネットワークノードへシグナリングする、
ように構成される、通信デバイス。
【請求項２】
Ｄ２Ｄ通信のために前記キャリアアグリゲーション通信ケイパビリティのいくつかを割り当てる意図は、通信シナリオ及び前記通信デバイス（１０４，１０８，１１０〜１１３，３００）のカバレッジ状態、のうちの少なくとも１つに基づく、請求項１の通信デバイス（１０４，１０８，１１０〜１１３，３００）。
【請求項３】
Ｄ２Ｄ通信のために前記キャリアアグリゲーション通信ケイパビリティのいくつかを割り当てる前記意図は、前記通信デバイス（１０４，１０８，１１０〜１１３，３００）が滞在し又はサービスされているのが、ビジターＰＬＭＮ（public  land  mobile  network）であるか又はホームＰＬＭＮであるかに基づく、請求項２の通信デバイス（１０４，１０８，１１０〜１１３，３００）。
【請求項４】
前記通信デバイスのキャリアアグリゲーション通信ケイパビリティの前記シグナリングからキャリアアグリゲーション通信ケイパビリティを知得する前記ネットワークノード（１００，２００）から、前記キャリアアグリゲーション通信ケイパビリティを割り当てるための構成に関するシグナリングを受信するように構成される、請求項１〜３のいずれか１項の通信デバイス（１０４，１０８，１１０〜１１３，３００）。
【請求項５】
シグナリングされる前記利用可能なキャリアアグリゲーション通信ケイパビリティは、Ｄ２Ｄ通信のために割り当てられることが意図されるキャリアアグリゲーション通信ケイパビリティを除外したキャリアアグリゲーション通信ケイパビリティに関する情報を含み、
キャリアアグリゲーション通信ケイパビリティに関する前記情報におけるキャリアアグリゲーション通信ケイパビリティの前記除外は、信号伝播環境、通信シナリオ、及び前記通信デバイスのカバレッジ状態、のうちの少なくとも１つに基づく、
請求項１の通信デバイス（１０４，１０８，１１０〜１１３，３００）。
【請求項６】
キャリアアグリゲーション通信ケイパビリティに関する前記情報におけるキャリアアグリゲーション通信ケイパビリティの前記除外は、前記通信デバイスが滞在し又はサービスされているのが、ビジターＰＬＭＮであるか又はホームＰＬＭＮであるか、に基づく、請求項５の通信デバイス（１０４，１０８，１１０〜１１３，３００）。
【請求項７】
セルラー通信ネットワークのためのネットワークノード（１００，２００）であって、前記ネットワークノード（１００，２００）は、セルラー通信システムのフレームワーク内のデバイスツーデバイス（Ｄ２Ｄ）通信をサポート可能であって、セルラー通信についてのキャリアアグリゲーションをサポート可能であり、前記ネットワークノード（１００，２００）は、
前記セルラー通信ネットワーク内で動作している通信デバイス（１０４，１０８，１１０〜１１３，３００）から、前記通信デバイス（１０４，１０８，１１０〜１１３，３００）のＤ２Ｄ通信及びキャリアアグリゲーションに適したキャリアアグリゲーション通信ケイパビリティであってキャリアアグリゲーションのために利用可能な当該キャリアアグリゲーション通信ケイパビリティに関するシグナリングを受信し、
少なくとも受信した前記シグナリングに基づいて、Ｄ２Ｄ通信及びキャリアアグリゲーションに関わる前記通信デバイス（１０４，１０８，１１０〜１１３，３００）のための構成を決定し、
前記構成に関する情報を前記通信デバイス（１０４，１０８，１１０〜１１３，３００）へ送信する、
ように構成され
前記ネットワークノード（１００，２００）がセルラー通信システムのフレームワーク内のＤ２Ｄ通信をサポート可能でない場合には、
Ｄ２Ｄ通信に適した他のＰＬＭＮ（public  land  mobile  networks）及び／又は他のキャリアに関する情報を前記通信デバイス（１０４，１０８，１１０〜１１３，３００）へ送信する、
ように構成され、
当該情報は、キャリアアグリゲーションに含まれるべきキャリア及び／又はＤ２Ｄ通信に含まれるべき１つ若しくは複数のキャリアを含む、
ネットワークノード（１００，２００）。
【請求項８】
セルラー通信システムのフレームワーク内でデバイスツーデバイス（Ｄ２Ｄ）通信可能であってセルラー通信についてキャリアアグリゲーション可能な通信デバイス（１０４，１０８，１１０〜１１３，３００）の方法であって、
全てのキャリアアグリゲーション通信ケイパビリティを判定し、
Ｄ２Ｄ通信及びキャリアアグリゲーションに適したキャリアアグリゲーション通信ケイパビリティを利用するＤ２Ｄ通信が行われるかを判定し、
前記通信デバイスがＤ２Ｄ通信で利用しない利用可能なキャリアアグリゲーション通信ケイパビリティを判定する、
ことにより、キャリアアグリゲーション通信ケイパビリティを判定すること（４０２）と、
前記利用可能なキャリアアグリゲーション通信ケイパビリティを前記セルラー通信システムのネットワークノード（１００，２００）へシグナリングすること（４０４）と、
を含む方法。
【請求項９】
Ｄ２Ｄ通信のために前記キャリアアグリゲーション通信ケイパビリティのいくつかを割り当てる意図は、通信シナリオ及び前記通信デバイスのカバレッジ状態、のうちの少なくとも１つに基づく、請求項８の方法。
【請求項１０】
Ｄ２Ｄ通信のために前記キャリアアグリゲーション通信ケイパビリティのいくつかを割り当てる前記意図は、前記通信デバイスが滞在し又はサービスされているのが、ビジターＰＬＭＮ（public  land  mobile  network）であるか又はホームＰＬＭＮであるかに基づく、請求項９の方法。
【請求項１１】
前記通信デバイスのキャリアアグリゲーション通信ケイパビリティの前記シグナリングからキャリアアグリゲーション通信ケイパビリティを知得する前記ネットワークノード（１００，２００）から、前記キャリアアグリゲーション通信ケイパビリティを割り当てるための構成に関するシグナリングを受信すること（４１１）、を含む、請求項８〜１０のいずれか１項の方法。
【請求項１２】
シグナリングされる前記利用可能なキャリアアグリゲーション通信ケイパビリティは、Ｄ２Ｄ通信のために割り当てられることが意図されるキャリアアグリゲーション通信ケイパビリティを除外したキャリアアグリゲーション通信ケイパビリティに関する情報を含み、
キャリアアグリゲーション通信ケイパビリティに関する前記情報におけるキャリアアグリゲーション通信ケイパビリティの前記除外は、信号伝播環境、通信シナリオ、及び前記通信デバイスのカバレッジ状態、のうちの少なくとも１つに基づく、請求項８の方法。
【請求項１３】
キャリアアグリゲーション通信ケイパビリティに関する前記情報におけるキャリアアグリゲーション通信ケイパビリティの前記除外は、前記通信デバイスが滞在し又はサービスされているのが、ビジターＰＬＭＮであるか又はホームＰＬＭＮであるか、に基づく、請求項１２の方法。
【請求項１４】
セルラー通信ネットワークのネットワークノード（１００，２００）の方法であって、前記方法は、前記ネットワークノードがセルラー通信システムのフレームワーク内のデバイスツーデバイス（Ｄ２Ｄ）通信をサポート可能であってセルラー通信についてのキャリアアグリゲーションをサポート可能である場合に、
前記セルラー通信ネットワーク内で動作している通信デバイス（１０４，１０８，１１０〜１１３，３００）から、前記通信デバイス（１０４，１０８，１１０〜１１３，３００）のＤ２Ｄ通信及びキャリアアグリゲーションについてのキャリアアグリゲーション通信ケイパビリティに関するシグナリングを受信すること（４０６）と、
少なくとも受信した前記シグナリングに基づいて、Ｄ２Ｄ通信及びキャリアアグリゲーションに関わる前記通信デバイスのための構成を決定すること（４０３）と、
前記構成に関する情報を前記通信デバイス（１０４，１０８，１１０〜１１３，３００）へ送信すること（４１０）と、
を含み、
前記ネットワークノード（１００，２００）がセルラー通信システムのフレームワーク内のデバイスツーデバイス（Ｄ２Ｄ）通信をサポート可能でない場合には、
Ｄ２Ｄ通信に適した他のＰＬＭＮ（public  land  mobile  networks）及び／又は他のキャリアに関する情報を前記通信デバイス（１０４，１０８，１１０〜１１３，３００）へ送信すること、
を含み、
当該情報は、キャリアアグリゲーションに含まれるべきキャリア及び／又はＤ２Ｄ通信に含まれるべき１つ若しくは複数のキャリアを含む、
方法。
【請求項１５】
通信デバイス（１０４，１０８，１１０〜１１３，３００）のプロセッサ（３０８，７０２）上で実行された場合に、前記通信デバイス（１０４，１０８，１１０〜１１３，３００）に、請求項８〜１３のいずれかに記載の方法を実行させる命令、を含むコンピュータプログラム。
【発明の詳細な説明】
【技術分野】
【０００１】
本発明は、概して、セルラー通信ネットワークにおけるキャリアアグリゲーション及びデバイスツーデバイス通信に関する。
【背景技術】
【０００２】
デバイスツーデバイス通信は、アドホックネットワーク及びセルラーネットワークを含む多くの既存のワイヤレス技術のよく知られ及び広く使用されているコンポーネントである。例は、Ｂｌｕｅｔｏｏｔｈ、及びＩＥＥＥ８０２．１１標準スイートのＷｉＦｉダイレクトなどのいくつかの変種を含む。
【０００３】
近年、通信するデバイス同士の近接性の利点を活用すると同時に、デバイスが制御された干渉環境において動作することを可能とする手段として、セルラーネットワーク（主にＬＴＥ）への下層としてのデバイスツーデバイス（Ｄ２Ｄ）通信が提案されてきている。典型的には、例えばデバイスツーデバイスの目的のためにセルラーのアップリンクリソースのいくらかを予約することで、そうしたデバイスツーデバイス通信がセルラーシステムと同じスペクトルを共用することが提案される。本開示では、そうしたＤ２Ｄ通信を、セルラー通信システムのフレームワーク内のＤ２Ｄ通信という。スペクトルは欠如しがちなリソースであるために、デバイスツーデバイスの目的のために専用のスペクトルを割り当てることはあまり有望な選択肢ではなく、Ｄ２Ｄサービスとセルラーサービスとの間の（動的な）共用がより柔軟であってより高いスペクトル効率を提供する。
【発明の概要】
【発明が解決しようとする課題】
【０００４】
発明者らは、Ｄ２Ｄサービスとセルラーサービスとの間のある動的な共用を提供する有益な手法を実現した。本発明の実施形態は、キャリアアグリゲーション通信ケイパビリティをキャリアアグリゲーションを採用するセルラー通信、及びインター周波数Ｄ２Ｄ通信の双方のために利用し得るという理解、並びに、それらサービス間のケイパビリティのアクティブな及び／又は動的な共用が特にある通信シナリオにとって有益であり得るという理解に基づく。
【課題を解決するための手段】
【０００５】
第１の観点によれば、セルラー通信ネットワーク及び当該セルラー通信ネットワークとインタラクションする少なくとも通信デバイスを含む通信システムが提供される。上記セルラー通信ネットワークは、上記通信デバイスから、上記通信デバイスのＤ２Ｄ及びキャリアアグリゲーション通信に適したキャリアアグリゲーション通信ケイパビリティに関するシグナリングを受信し、少なくとも受信した上記シグナリングに基づいて、Ｄ２Ｄ通信及びキャリアアグリゲーションに関わる上記通信デバイスのための構成を決定し、上記構成を上記通信デバイスへ送信する、ように構成される少なくともネットワークノード、を含む。上記通信デバイスは、セルラー通信システムのフレームワーク内でデバイスツーデバイス（Ｄ２Ｄ）通信可能であって、セルラー通信についてキャリアアグリゲーション可能であり、Ｄ２Ｄ通信及びキャリアアグリゲーションに適したキャリアアグリゲーション通信ケイパビリティを判定し、上記キャリアアグリゲーション通信ケイパビリティを上記ネットワークノードへシグナリングする、ように構成される
【０００６】
第２の観点によれば、セルラー通信システムのフレームワーク内でデバイスツーデバイス（Ｄ２Ｄ）通信可能であって、セルラー通信についてキャリアアグリゲーション可能な通信デバイスが提供される。上記通信デバイスは、Ｄ２Ｄ通信及びキャリアアグリゲーションに適したキャリアアグリゲーション通信ケイパビリティを判定し、判定した上記キャリアアグリゲーション通信ケイパビリティを上記セルラー通信システムのネットワークノードへシグナリングする、ように構成される。
【０００７】
上記通信デバイスは、全ての上記キャリアアグリゲーション通信ケイパビリティを判定し及びＤ２Ｄ通信が意図されるかを判定することにより、上記キャリアアグリゲーション通信ケイパビリティを判定する、ように構成されてもよい。シグナリングされる上記キャリアアグリゲーション通信ケイパビリティは、全てのキャリアアグリゲーション通信ケイパビリティと、１つ又は複数の何らかのキャリア上でのＤ２Ｄ通信のために上記キャリアアグリゲーション通信ケイパビリティのいくつかを割り当てる上記意図と、に関する情報を含んでもよい。Ｄ２Ｄ通信のために上記キャリアアグリゲーション通信ケイパビリティのいくつかを割り当てる上記意図に関する上記情報は、ＮＳＰＳ（National  Security  Public  Safety）アプリケーションのためにＤ２Ｄ動作を行うことを上記通信デバイスが意図しているという標識を含んでもよい。Ｄ２Ｄ通信のために上記キャリアアグリゲーション通信ケイパビリティのいくつかを割り当てる上記意図に関する上記情報は、営利アプリケーションのためにＤ２Ｄ動作を行うことを上記通信デバイスが意図しているという標識を含んでもよい。Ｄ２Ｄ通信のために上記キャリアアグリゲーション通信ケイパビリティのいくつかを割り当てる上記意図に関する上記情報は、Ｄ２Ｄ通信のためのＰＬＭＮ（public  land  mobile  network）アイデンティティ、割り当てのタイプ、周波数、及びプライオリティインデックス、のうちの１つ以上を含んでもよい。Ｄ２Ｄ通信のために上記キャリアアグリゲーション通信ケイパビリティのいくつかを割り当てる上記意図は、通信シナリオ及び上記通信デバイスのカバレッジ状態、のうちの少なくとも１つに基づいてもよい。Ｄ２Ｄ通信のために上記キャリアアグリゲーション通信ケイパビリティのいくつかを割り当てる上記意図は、上記通信デバイスが滞在し又はサービスされているのが、ビジターＰＬＭＮであるか又はホームＰＬＭＮであるかに基づいてもよい。
【０００８】
上記通信デバイスは、上記ネットワークノードからシグナリングを受信する、ように構成されてもよく、上記ネットワークノードは、上記通信デバイスのキャリアアグリゲーション通信ケイパビリティのシグナリングからキャリアアグリゲーション通信ケイパビリティを知得し、上記シグナリングは、上記キャリアアグリゲーション通信ケイパビリティを割り当てるための構成に関する。
【０００９】
上記デバイスは、全てのケイパビリティを判定し及びＤ２Ｄ通信が意図されるかを判定することにより、上記キャリアアグリゲーション通信ケイパビリティを判定する、ように構成されてもよく、シグナリングされる上記キャリアアグリゲーション通信ケイパビリティは、Ｄ２Ｄ通信のために割り当てられることが意図されるキャリアアグリゲーション通信ケイパビリティを除外したキャリアアグリゲーション通信ケイパビリティに関する情報を含む。キャリアアグリゲーション通信ケイパビリティに関する上記情報におけるキャリアアグリゲーション通信ケイパビリティの上記除外は、信号伝播環境、通信シナリオ、及び上記通信デバイスのカバレッジ状態、のうちの少なくとも１つに基づいてもよい。キャリアアグリゲーション通信ケイパビリティに関する上記情報におけるキャリアアグリゲーション通信ケイパビリティの上記除外は、上記通信デバイスが滞在し又はサービスされているのが、ビジターＰＬＭＮであるか又はホームＰＬＭＮであるか、に基づいてもよい。
【００１０】
第３の観点によれば、セルラー通信ネットワークのネットワークノードが提供される。上記ネットワークノードは、当該ネットワークノードがセルラー通信システムのフレームワーク内のデバイスツーデバイス（Ｄ２Ｄ）通信をサポート可能であって、セルラー通信についてのキャリアアグリゲーションをサポート可能である場合に、上記セルラー通信ネットワーク内で動作している通信デバイスから、上記通信デバイスのＤ２Ｄ通信及びキャリアアグリゲーションに適したキャリアアグリゲーション通信ケイパビリティに関するシグナリングを受信し、少なくとも受信した上記シグナリングに基づいて、Ｄ２Ｄ通信及びキャリアアグリゲーションに関わる上記通信デバイスのための構成を決定し、上記構成に関する情報を上記通信デバイスへ送信する、ように構成される。上記ネットワークノードがセルラー通信システムのフレームワーク内のデバイスツーデバイス（Ｄ２Ｄ）通信をサポート可能でない場合には、Ｄ２Ｄ通信に適した他のＰＬＭＮ（public  land  mobile  networks）及び／又は他のキャリアに関する情報を上記通信デバイスへ送信する、ように構成される。
【００１１】
上記情報は、キャリアアグリゲーションに含まれるべきキャリア及び／又はＤ２Ｄ通信に含まれるべき１つ若しくは複数のキャリアを含んでもよい。
【００１２】
第４の観点によれば、セルラー通信ネットワーク及び当該セルラー通信ネットワークとインタラクションする少なくとも通信デバイスを含む通信システムの方法が提供され、上記セルラー通信ネットワークは、少なくともネットワークノードを含み、上記通信デバイスは、セルラー通信システムのフレームワーク内でデバイスツーデバイス（Ｄ２Ｄ）通信可能であってセルラー通信についてキャリアアグリゲーション可能である。上記方法は、上記ネットワークノードにより、上記通信デバイスから、上記通信デバイスのＤ２Ｄ通信及びキャリアアグリゲーションに適したキャリアアグリゲーション通信ケイパビリティに関するシグナリングを受信することと、少なくとも受信した上記シグナリングに基づいて、Ｄ２Ｄ通信及びキャリアアグリゲーションに関わる上記通信デバイスのための構成を決定することと、上記構成を上記通信デバイスへ送信することと、を含む。上記方法は、上記通信デバイスにより、Ｄ２Ｄ通信及びキャリアアグリゲーションに適したキャリアアグリゲーション通信ケイパビリティを判定することと、上記キャリアアグリゲーション通信ケイパビリティを上記ネットワークノードへシグナリングすることと、を含む。
【００１３】
第５の観点によれば、セルラー通信システムのフレームワーク内でデバイスツーデバイス（Ｄ２Ｄ）通信可能であってセルラー通信についてキャリアアグリゲーション可能な通信デバイスの方法が提供される。上記方法は、Ｄ２Ｄ通信及びキャリアアグリゲーションに適したキャリアアグリゲーション通信ケイパビリティを判定することと、上記キャリアアグリゲーション通信ケイパビリティを上記セルラー通信システムのネットワークノードへシグナリングすることと、を含む。
【００１４】
上記方法は、全ての上記キャリアアグリゲーション通信ケイパビリティを判定すること、及び、Ｄ２Ｄ通信が意図されるかを判定すること、により、上記キャリアアグリゲーション通信ケイパビリティを判定すること、を含んでもよい。シグナリングされる上記キャリアアグリゲーション通信ケイパビリティは、全ての上記キャリアアグリゲーション通信ケイパビリティと、１つ又は複数の何らかのキャリア上でのＤ２Ｄ通信のために上記キャリアアグリゲーション通信ケイパビリティのいくつかを割り当てる上記意図と、に関する情報を含んでもよい。Ｄ２Ｄ通信のために上記キャリアアグリゲーション通信ケイパビリティのいくつかを割り当てる上記意図に関する上記情報は、ＮＳＰＳ（National  Security  Public  Safety）アプリケーションのためにＤ２Ｄ動作を行うことを上記通信デバイスが意図しているという標識を含んでもよい。Ｄ２Ｄ通信のために上記キャリアアグリゲーション通信ケイパビリティのいくつかを割り当てる上記意図に関する上記情報は、営利アプリケーションのためにＤ２Ｄ動作を行うことを上記通信デバイスが意図しているという標識を含んでもよい。Ｄ２Ｄ通信のために上記キャリアアグリゲーション通信ケイパビリティのいくつかを割り当てる上記意図に関する上記情報は、Ｄ２Ｄ通信のためのＰＬＭＮ（public  land  mobile  network）アイデンティティ、割り当てのタイプ、周波数、及びプライオリティインデックス、のうちの１つ以上を含んでもよい。Ｄ２Ｄ通信のために上記キャリアアグリゲーション通信ケイパビリティのいくつかを割り当てる上記意図は、通信シナリオ及び上記通信デバイスのカバレッジ状態、のうちの少なくとも１つに基づいてもよい。Ｄ２Ｄ通信のために上記キャリアアグリゲーション通信ケイパビリティのいくつかを割り当てる上記意図は、上記通信デバイスが滞在し又はサービスされているのが、ビジターＰＬＭＮであるか又はホームＰＬＭＮであるかに基づいてもよい。
【００１５】
上記方法は、上記通信デバイスのキャリアアグリゲーション通信ケイパビリティの上記シグナリングからキャリアアグリゲーション通信ケイパビリティを知得する上記ネットワークノードから、上記キャリアアグリゲーション通信ケイパビリティを割り当てるための構成に関するシグナリングを受信すること、を含んでもよい。
【００１６】
上記キャリアアグリゲーション通信ケイパビリティの上記判定は、全ての上記キャリアアグリゲーション通信ケイパビリティを判定することと、Ｄ２Ｄ通信が意図されるかを判定することと、を含んでもよい。シグナリングされる上記キャリアアグリゲーション通信ケイパビリティは、Ｄ２Ｄ通信のために割り当てられることが意図されるキャリアアグリゲーション通信ケイパビリティを除外したキャリアアグリゲーション通信ケイパビリティに関する情報を含んでもよい。キャリアアグリゲーション通信ケイパビリティに関する上記情報におけるキャリアアグリゲーション通信ケイパビリティの上記除外は、信号伝播環境、通信シナリオ、及び上記通信デバイスのカバレッジ状態、のうちの少なくとも１つに基づいてもよい。キャリアアグリゲーション通信ケイパビリティに関する上記情報におけるキャリアアグリゲーション通信ケイパビリティの上記除外は、上記通信デバイスが滞在し又はサービスされているのが、ビジターＰＬＭＮであるか又はホームＰＬＭＮであるか、に基づいてもよい。
【００１７】
第６の観点によれば、セルラー通信ネットワークのネットワークノードの方法が提供される。上記方法は、上記ネットワークノードがセルラー通信システムのフレームワーク内のデバイスツーデバイス（Ｄ２Ｄ）通信をサポート可能であってセルラー通信についてのキャリアアグリゲーションをサポート可能である場合に、上記セルラー通信ネットワーク内で動作している通信デバイスから、上記通信デバイスのＤ２Ｄ通信及びキャリアアグリゲーションについてのキャリアアグリゲーション通信ケイパビリティに関するシグナリングを受信することと、少なくとも受信した上記シグナリングに基づいて、Ｄ２Ｄ通信及びキャリアアグリゲーションに関わる上記通信デバイスのための構成を決定することと、上記構成に関する情報を上記通信デバイスへ送信することと、を含む。上記ネットワークノードがセルラー通信システムのフレームワーク内のデバイスツーデバイス（Ｄ２Ｄ）通信をサポート可能でない場合には、上記方法は、Ｄ２Ｄ通信に適した他のＰＬＭＮ（public  land  mobile  networks）及び／又は他のキャリアに関する情報を上記通信デバイスへ送信すること、を含む。
【００１８】
上記情報は、キャリアアグリゲーションに含まれるべきキャリア及び／又はＤ２Ｄ通信に含まれるべき１つ若しくは複数のキャリアを含んでもよい。
【００１９】
第７の観点によれば、通信デバイスのプロセッサ上で実行された場合に、上記通信デバイスに、上記第５の観点に係る方法を実行させる命令、を含むコンピュータプログラムが提供される。
【００２０】
第８の観点によれば、ネットワークノードのプロセッサ上で実行された場合に、上記ネットワークノードに、上記第６の観点に係る方法を実行させる命令、を含むコンピュータプログラムが提供される。
【図面の簡単な説明】
【００２１】
添付図面への参照と共に、本発明の好適な実施形態についての以下の例示的かつ非限定的な詳細な説明を通じて、本発明の実施形態の上の及び追加的な目的、特徴及び利点がより良好に理解されるであろう。
【００２２】
【図１】一実施形態に係る通信システムを概略的に示している。
【図２】一実施形態に係るネットワークノードを概略的に示すブロック図である。
【図３】一実施形態に係る通信デバイスを概略的に示すブロック図である。
【図４】一実施形態に係る方法を示すフローチャートである。
【図５】キャリアアグリゲーション通信ケイパビリティを判定し及びシグナリングするためのアプローチを概略的に示すフローチャートである。
【図６】キャリアアグリゲーション通信ケイパビリティを判定し及びシグナリングするための他のアプローチを概略的に示すフローチャートである。
【図７】コンピュータ読取可能な媒体及び処理デバイスを概略的に示している。
【発明を実施するための形態】
【００２３】
Ｄ２Ｄアプリケーションは、直接的なディスカバリ及び直接的な通信を含む。双方のケースにおいて、送信機は、少なくとも意図される受信機により直接的に受信されるべきＤ２Ｄ信号を送信する。セルラー通信システムのフレームワーク内でのＤ２Ｄ通信についての１つの適用例は、ＮＳＰＳ（National  Security  Public  Safety）サービス向けである。そうしたシステムについて、セルラーネットワークが故障した場合に備えてＤ２Ｄ通信できるようにしておくことの重要性は例外的である。よって、セルラー通信システムのフレームワーク内のＤ２Ｄ通信との用語は、セルラーネットワークが動作中である必要は無いが、セルラーネットワーク及びセルラー通信システムに関連付けられる規制及び仕様が適用されることを示唆する。そのため、上記用語は、ネットワークノードによる制御が関与しない、セルラー無線スペクトルにおける２つのデバイス／ユーザ機器（ＵＥ）の間の直接的なＤ２Ｄ通信のケースをも含む（例えば、ネットワークノードカバレッジ外のシナリオ）。
【００２４】
Ｄ２Ｄは、セルラー及び／又はＤ２Ｄが複数のキャリア上で動作するように構成されるというマルチキャリアシナリオで動作することもできるべきである。そうしたキャリアは、必ずしも単一の事業者に属しておらず、必ずしも協調的かつ同期的ではない。
【００２５】
追加的なシナリオは、３ＧＰＰの専門用語ではユーザ機器（ＵＥ）である１つの通信デバイスがあるＰＬＭＮ（public  land  mobile  network）に滞在しているというローミングを含み、そのＰＬＭＮとは、即ち、上記ＵＥ内の加入者識別モジュール（ＳＩＭ）に関連付けられるＰＬＭＮであるホームＰＬＭＮ（ＨＰＬＭＮ）とのローミング協定を有するビジターＰＬＭＮ（ＶＰＬＭＮ）である。１つの典型的な例はＮＳＰＳデバイスであろう。その場合、（Ｄ２Ｄ通信をサポートすると想定される）ＨＰＬＭＮが通常は完全な地理的ネットワークカバレッジを有しておらず、よってＮＳＰＳデバイスはセルラーカバレッジを求めて（Ｄ２Ｄ機能性が無いかもしれない）他の事業者へとローミングする。しかしながら、ＮＳＰＳデバイスは、ＶＰＬＭＮに滞在し、同時にＨＰＬＭＮスペクトル上でＤ２Ｄを動作させることができてもよい。キャリアアグリゲーション（ＣＡ）可能なデバイスは、例えばそれぞれのキャリア上に１つの送受信機チェーンを割り当てることにより、そうしたシナリオをサポートできるべきである。
【００２６】
ＣＡは、ＬＴＥの３ＧＰＰリリース１０から標準化された、ｅＮｏｄｅＢ／ネットワークノードとＵＥ／通信デバイスとの間の通信において複数のキャリアを組み合わせる手法であり、それにより、合計での送信又は受信帯域幅が増加し、よって典型的にはベストエフォートサービスといった何らかのサービスについてあり得る最大スループットが増加する。一般的な原理は、一般的な制御通信及び無線リソース管理（ＲＲＭ）／モビリティをハンドリングする１つのプライマリセルと、より高いスループットについてのニーズに依存して構成され及びアクティブ化／非アクティブ化され得る他のキャリア上の１つ又は複数のセカンダリセルと、をリンクが有するということである。キャリアの統合（aggregation）は、互いに隣接するキャリアによって、又は互いに隣接しないキャリアによって（ＬＴＥ  ３ＧＰＰリリース１１において仕様化済み）行われることができる。
【００２７】
複数のキャリア上での動作、即ちＣＡ通信ケイパビリティをサポートする通信デバイス（ＵＥ）は、それらのＣＡ構成に関して、ＬＴＥ向けの３ＧＰＰの用語ではｅＮＢ又はｅＮｏｄｅＢであるサービングネットワークノードによって構成される。ローミングシナリオでは、ＵＥはあるｅＮＢにより構成されるが、当該ｅＮＢのスペクトル上で性能を最大化するために全てのＣＡ−ＵＥケイパビリティが構成されることになる可能性が高い。しかしながら、これは、恐らくはサービングｅＮＢにより制御されない追加的なキャリア上でＵＥがＤ２Ｄを実行することを妨げる。よって、上述したＮＳＰＳのケースでは、デバイスはＨＰＬＭＮ上でＤ２Ｄを行うことができないかもしれず、なぜならＶＰＬＭＮが最大限のＣＡ動作を構成して、セルラー通信のために利用可能な全ての送受信機チェーンを“占める”からである。これは、以下に説明する実施形態のいくつかによって対処される。
【００２８】
Ｄ２Ｄ可能であってＣＡ可能なＵＥのケースを検討してみよう。レガシーの手続によれば、ＵＥは、自身のＣＡ通信ケイパビリティ、例えばサポートされるキャリアの数並びにアップリンク（ＵＬ）及びダウンリンク（ＤＬ）における帯域をサービングｅＮＢへシグナリングする。同様に、ＵＥは、Ｄ２Ｄディスカバリ及び／若しくは通信、又はＤ２Ｄ関連機能の範囲内の特定の機能性を実行できるかを指し示し得る。
【００２９】
典型的には、ｅＮＢは、自身のセルにおける性能を最大化する目的で、ＵＥ内のＣＡを構成するはずである。これは、ＵＥの全ての送信機チェーン及び受信機チェーンがｅＮＢによりそのスペクトル上に構成されることに帰結する可能性が高い。
【００３０】
いくつかのシナリオでは、Ｄ２Ｄ可能なＵＥは、サービングｅＮＢにより管理されない１つ以上のキャリア上でＤ２Ｄ通信（受信及び／又は送信）を実行することを望む。インターキャリアＤ２Ｄの実行は、典型的には、例えば追加的な送受信機チェーンなどのＵＥ内の追加的なハードウェア及びソフトウェアケイパビリティを要する。しかしながら、ＣＡ目的でサービングｅＮＢによりそうしたケイパビリティが既に使用されていれば、インター周波数Ｄ２Ｄは不可能であり、あるいはその性能は劣化する。
【００３１】
実施形態の最初のセットは、ＵＥからｅＮＢへの、インター周波数Ｄ２Ｄ関連情報のシグナリングを含む。そうしたシグナリングについての複数のオプションが可能であり、任意の手法で組み合わせられてよい。例えば、シグナリングは、ＵＥがＮＳＰＳ  ＵＥであるという標識を含んでもよい。シグナリングは、ＵＥが他のキャリア上でＮＳＰＳアプリケーション又は営利アプリケーションのためにＤ２Ｄを実行することに関心を有しているという標識を含んでもよい。シグナリングは、ＵＥが他のキャリア上でＤ２Ｄ送信及び／若しくは受信（又は他のＤ２Ｄ動作）を実行する意図を有していることを指し示してもよい。ＵＥがＤ２Ｄを実行することを望む対象であるアイデンティティ、アプリケーションのタイプ、周波数、プライオリティインデックスなどのＰＬＭＮに関する情報が提供され得る。
【００３２】
上で搬送される“インター周波数Ｄ２Ｄ関連情報”の内容が、シナリオ及びＵＥのカバレッジ状態に依存してもよい。例えば、ＵＥは、自身がＶＰＬＭＮに滞在しているのかＨＰＬＭＮに滞在しているのかに依存して異なる情報をレポートしてもよい。
【００３３】
サービングｅＮＢは、上記シグナリングを受信し、上のようにシグナリグされるＤ２Ｄ関連情報を考慮に入れて、例えばセルラー及び／又はＤ２Ｄ向けのＣＡ構成、構成されるＨＡＲＱプロセスの数、スループット要件、ＭＩＭＯ構成及びケイパビリティ、Ｄ２Ｄ構成など、自身のスペクトルに関してＵＥの構成を行い得る。例えば、ｅＮＢは、サービングセルへ全てのＵＥ−ＣＡケイパビリティを割り当てることを回避し、又は単にＵＥがインター周波数Ｄ２Ｄを実行するための空きのハードウェア及びソフトウェアケイパビリティを十分に有することを保証することにより、インター周波数Ｄ２Ｄを可能にし得る。ｅＮＢは、ルール又はプライオリティに基づいて、自身のスペクトルのためにＵＥケイパビリティを使用することと、それらをインター周波数Ｄ２Ｄの目的のために取っておくこととの間で優先制御を行ってもよく、例えば、ＮＳＰＳ又は他の高プライオリティＤ２Ｄサービスである場合に、インター周波数Ｄ２Ｄに送受信機チェーンを割り当てる。
【００３４】
いくつかの実施形態において、ＶＰＬＭＮ  ｅＮＢは、ＮＳＰＳ  ＵＥがそれを要求する場合にのみ、インター周波数Ｄ２Ｄを構成する。即ち、ＮＳＰＳデバイス内に、“Ｄ２Ｄ警報ステータス”を手動で選択する何らかの仕組みがあってよい。手動のユーザ設定の代わりに、そうした警報ステータスの自動的な有効化がなされてもよく、自動的な有効化は、例えば、（地理位置センサ（ＧＰＳなど）又はネットワークノード支援型測位から知得される）地理的位置、又は近距離無線（ＢＴ、ＷＬＡＮ、ＲＦＩＤ）を用いた近接性検出に基づいてなされてもよい（警察車両／救急車／消防車などに取り付けられる近距離送信機の近くのデバイスが“警報ステータス”を示す）。他の実施形態において、ｅＮＢは、そうした警報メッセージ／標識を受信するケースでは、ＣＡケイパビリティを構成解除して、デバイス／ＵＥをＨＰＬＭＮキャリア上でのＤ２Ｄのために再構成することができる。
【００３５】
さらなる実施形態において、ＵＥによりサービングセルへとレポートされるケイパビリティのセットは、ＵＥの周囲の伝播環境に依存する。例えば、滞在すべき適したＰＬＭＮがＨＰＬＭＮであるかＶＰＬＭＮであるかに基づいて、ＵＥは、Ｄ２Ｄ及び／又はＣＡに関して異なるケイパビリティをシグナリングする。例えば、ＵＥがあるＶＰＬＭＮに滞在している場合、ＵＥは、インター周波数Ｄ２Ｄを自律的に実行できるようにするために、全てのＣＡケイパビリティの利用可能なサブセットをレポートする。いくつかの例において、ＵＥは、ＨＰＬＭＮに滞在している場合、インター周波数Ｄ２Ｄはあまりクリティカルではないことから、全ての利用可能なＣＡケイパビリティをレポートする。上の例は、ＨＰＬＭＮがＮＳＰＳ事業者であるＮＳＰＳのケースに特に（但し、排他的ではなく）適している。
【００３６】
上の動作を実行する目的で、ＵＥは、少なくとも自身がＶＰＬＭＮに滞在しているケースについて、自身のケイパビリティをシグナリングするに先立って、無線環境をスキャンすることが必要であり得る。
【００３７】
さらなる実施形態において、ｅＮＢは、Ｄ２Ｄに適した他のＰＬＭＮ及び／又は他のキャリアに関する情報をＵＥへシグナリングする。その情報は、それらのプライオリティ、及び／又は、それらキャリア上で稼働するＤ２Ｄアプリケーション（例えば、公衆安全又は営利的なＤ２Ｄキャリア）に関する標識を含む。ｅＮＢは、Ｄ２Ｄ向けのリソース及び／又はキャリア周波数などの無線関連情報さえもシグナリングしてよい。
【００３８】
ＣＡ向け及び／又はＤ２Ｄ通信向けのキャリアのシグナリングは、無線リソース制御（ＲＲＣ）メッセージ上でなされてもよく、但し、ＭＡＣ（Medium  Access  Control）制御エレメントによるアクティブ化及び／又は非アクティブ化によってなされてもよい。
【００３９】
ｅＮＢにより提供される上記情報に少なくとも基づいて、ＵＥは、ＵＥのケイパビリティが限定されるケースに備えて、あるキャリア及び／又はＰＬＭＮ上でのインター周波数Ｄ２Ｄ動作を優先順位付けし得る。
【００４０】
第２の解決策は、例えばサービングセルがＨＰＬＭＮに属するか又はＶＰＬＭＮに属するかというシナリオに依存して、ＵＥが異なるＵＥ−ＣＡケイパビリティをシグナリングすること、を含む。シナリオに依存して、ＵＥは、異なるキャリア上でＤ２Ｄを実行するために有益であり得るＵＥ−ＣＡケイパビリティをシグナリングすることを回避してもよい。これは、例えば、ＵＥがＣＡケイパビリティの制限されたセット（又はＣＡケイパビリティ全く無し）をシグナリングし、それによりいくらかの送受信機リソースをＨＰＬＭＮキャリア上でのＤ２Ｄのために自由にしておくことを暗示し得る。あらためて、ＮＷノードへ完全なＣＡケイパビリティをシグナリングするか又は限定されたＣＡケイパビリティをシグナリングするかの判定のために、上述したものと同様のイベントが通信デバイス（例えばＵＥ）において使用されてもよい。例えば、ＮＳＰＳであってＶＰＬＭＮに滞在しているシナリオを想定すると、ＵＥはＮＷノードへ限定されたＣＡケイパビリティのみを送信する。同様のシナリオを検討すると、さらなる例では、通信デバイスは、通信デバイスが上述したような何らかの“警報ステータス”となっている場合にのみ、限定されたＣＡケイパビリティを送信し得る。
【００４１】
上記実施形態のいくつかの利点は、少なくともＤ２Ｄに例えば公衆安全の目的のために高いプライオリティが与えられているケースにおいて、通信デバイスあるいはＵＥがサービングキャリアとは異なるキャリア上でＤ２Ｄ通信を行うことが可能とされることである。
【００４２】
図１は、一実施形態に係る、アクセスネットワークを提供するためのセルラーワイヤレス通信システムの一部、及び、ネットワークノードとの通信に関与し得る複数のエレメントを概略的に示している。基地局１００（例えば、ｅＮＢ）はセル１０２を運用し、複数のデバイス１０４、１０８、１１０、１１１、１１２、１１３はセル１０２の内部又は近傍で動作するものと想定される。ワイヤレスセルラー通信システム内に、複数の類似するセル１１４もまた提供される。セルラーワイヤレス通信システムのＵＥは、様々な手法を通じてアクセス及び／又は所望の通信を獲得し得る。例えば、ＵＥ１０８は、基地局１００を通じてアクセスを獲得し、ＵＥ１１０もそうであり、一方で、ＵＥ１１０及びＵＥ１１１の間でＤ２Ｄ通信が行われ、これはＵＥ１１１及びＵＥ１１２の間、並びにＵＥ１１２及びＵＥ１１３の間でもそうである。例えば、ＵＥ１１０、１１１、１１２、１１３は、上で議論したようなＮＳＰＳ  ＵＥであってよく、ＵＥ１１０のキャリアアグリゲーション通信ケイパビリティは、上の実施形態のいずれかで説明したように扱われ得る。基地局１００もそのように動作するであろう。
【００４３】
図２は、一実施形態に係る、例えばｅＮＢ又は他の基地局２００といったネットワークノードを概略的に示すブロック図である。ネットワークノードは、アンテナ構成２０２と、アンテナ構成２０２へ接続される受信機２０４と、アンテナ構成２０２へ接続される送信機２０６と、１つ以上の回路を含み得る処理要素２０８と、１つ以上の入力インタフェース２１０と、１つ以上の出力インタフェース２１２とを備える。インタフェース２１０、２１２は、シグナリング及びペイロードのために通信ネットワークの他の部分と通信するための、例えば電気的な又は光学的な信号インタフェースであり、但し他のインタフェースを含んでもよい。ネットワークノード２００は、セルラー通信ネットワークにおいて動作するように構成される。特に、処理要素２０８が上で説明した実施形態を遂行するように構成されることで、ネットワークノード２００は、ＵＥからキャリアアグリゲーション通信ケイパビリティのシグナリングを受信し、上で説明したように構成を提供し及びそれらをＵＥへシグナリングすることが可能である。また、処理要素２０８は、受信機２０４及び送信機２０６へ接続されていることから、受信及び送信を可能とする信号処理、アプリケーションの実行、及びインタフェース２１０、２１２のシグナリング制御などにわたる、数多くのタスクを果たすことができる。
【００４４】
図３は、一実施形態に係る、例えばＵＥ３００といった通信デバイスを概略的に示すブロック図である。ＵＥ３００は、アンテナ構成３０２と、アンテナ構成３０２へ接続される受信機３０４と、アンテナ構成３０２へ接続される送信機３０６と、１つ以上の回路を含み得る処理要素３０８と、１つ以上の入力インタフェース３１０と、１つ以上の出力インタフェース３１２とを備える。インタフェース３１０、３１２は、ユーザインタフェース、及び／又は例えば電気的な若しくは光学的な信号インタフェースであり得る。ＵＥ３００は、セルラー通信ネットワークにおいて動作するように構成され、及びＤ２Ｄ通信も可能である。特に、処理要素３０８が上で説明した実施形態を遂行するように構成されることで、ＵＥ３００は、自身のキャリアアグリゲーション通信ケイパビリティを判定し、インター周波数Ｄ２Ｄ通信が実行されるべきかを判定し、及び、上で議論したようにそれに応じたネットワークノードへのシグナリングを行うことが可能である。処理要素３０８は、受信機３０４及び送信機３０６へ接続されていることから、受信及び送信を可能とする信号処理、アプリケーションの実行、及びインタフェース３１０、３１２の制御などにわたる、数多くのタスクを果たすことができる。
【００４５】
図４は、上で説明したような通信システムの方法を示すフローチャートである。さらに、フローチャートのそれぞれの部分は、それぞれ通信デバイス及びネットワークノードの方法を示している。上記方法は、ＵＥ側で、Ｄ２Ｄ通信及びキャリアアグリゲーションに適したキャリアアグリゲーション通信ケイパビリティを判定すること４０２、を含む。本方法は、上記判定４０２のためのデータを収集するための、滞在すべきＰＬＭＮについてのキャリアのスキャン４０１をも含んでよい。上記判定に基づいて、ネットワークノードへのキャリアアグリゲーション通信ケイパビリティのシグナリング４０４が行われる。上で説明したものに加えて、上記判定４０２及びシグナリング４０４のための様々なアプローチが、図５及び図６を参照しながら説明される。上記方法は、ｅＮＢ側で、通信デバイスから、上記通信デバイスのＤ２Ｄ通信及びキャリアアグリゲーションに適したキャリアアグリゲーション通信ケイパビリティに関するシグナリングを受信すること４０６、を含む。恐らくは他のネットワーク制約に加えて、それに基づいて、ｅＮＢは、Ｄ２Ｄ通信及び／又はキャリアアグリゲーションに関わる通信デバイスのための構成を決定４０８する。そして、上記構成は、通信デバイスへ送信４１０される。そして、ＵＥは、当該構成を受信４１１し、当該構成を適用４１３し得る。
【００４６】
図５は、通信デバイスによりキャリアアグリゲーション通信ケイパビリティを判定し及びシグナリングするためのアプローチを概略的に示すフローチャートである。通信デバイスは、その時点の事情の下で、自身の全てのキャリアアグリゲーションケイパビリティを判定５００する。さらに、通信デバイスは、例えば上で説明したように公衆安全の警報の状況のために、Ｄ２Ｄ通信を実行することが意図されるかを判定５０２する。上記判定５００、５０２に基づいて、判定された全てのキャリアアグリゲーション通信ケイパビリティ及びＤ２Ｄ通信が意図されるかの標識を含むシグナリングメッセージが形成５０４される。
【００４７】
図６は、通信デバイスによりキャリアアグリゲーション通信ケイパビリティを判定し及びシグナリングするための他のアプローチを概略的に示すフローチャートである。図５を参照しながら説明した上記アプローチと同様に、通信デバイスは、その時点の事情の下で、自身の全てのキャリアアグリゲーションケイパビリティを判定６００する。さらに、通信デバイスは、例えば上で説明したように公衆安全の警報の状況のために、Ｄ２Ｄ通信を実行することが意図されるかを判定６０２する。但し、このアプローチにおいて、通信デバイスは、上記判定６００、６０２に基づいて、通信デバイスがＤ２Ｄ通信で占めることを意図しないキャリアアグリゲーション通信ケイパビリティを含むシグナリングメッセージを形成６０４する。
【００４８】
本発明の実施形態に係る方法は、コンピュータ及び/又はプロセッサなどの処理手段の支援を伴う実装に適しており、特に、上で説明した処理要素２０８、３０８がそれぞれ図４〜図６をそれぞれ参照しながら説明した方法を扱うプロセッサを含むケースに適している。従って、図４〜図６を参照しながら説明した実施形態のいずれかに従って方法の任意のステップ群を処理手段、プロセッサ又はコンピュータに実行させるように構成される命令、を含むコンピュータプログラムが提供される。当該コンピュータプログラムは、好適には、図７に示したようなコンピュータ読取可能な媒体７００上に記憶されるプログラムコードであって、処理手段、プロセッサ又はコンピュータ７０２によりロードされ及び実行されて、好適には図４〜図６を参照しながら説明した実施形態のいずれかの通りそれぞれ本発明の実施形態に係る方法を実行させることのできるプログラムコード、を含む。コンピュータ７０２及びコンピュータプログラムプロダクト７００は、プログラムコードをシーケンシャルに実行するように構成されてもよく、方法の何らかのアクションはステップごとに実行される。処理手段、プロセッサ又はコンピュータ７０２は、好適には、通常は組込みシステムとして言及されるものである。よって、図７における図示されたコンピュータ読取可能な媒体７００及びコンピュータ７０２は、例示の目的のためのものであって本原理の理解を提供するものに過ぎないと解釈されるべきであり、それら要素を何ら直接的に描いたものとして解釈されるべきではない。
【図１】
0006410927.tif 000002
【図２】
0006410927.tif 000003
【図３】
0006410927.tif 000004
【図４】
0006410927.tif 000005
【図５】
0006410927.tif 000006
【図６】
0006410927.tif 000007
【図７】
0006410927.tif 000008